(57)【要約】【目的】発光効率が高く、高精細、広色域で色再現性に優れたディスプレイパネルを提供する。【解決手段】画素の各々が、画素中心に対して行方向の互いに対向する位置に配された第１及び第２の色表示セルと、画素中心に対して列方向の互いに対向する位置に配された第３及び第４の色表示セルと、を有している。【選択図】図１
2008098032.tif 000002
【特許請求の範囲】
【請求項１】
各々が複数の色表示セルを含む複数の画素を行方向及び列方向に配置した表示パネルであって、
前記複数の画素の各々は、画素中心に対して前記行方向に沿って互いに対向する位置に配された第１及び第２の色表示セルと、前記画素中心に対して前記列方向に沿って互いに対向する位置に配された第３及び第４の色表示セルと、を有することを特徴とする表示パネル。
【請求項２】
前記複数の画素の各々は正方形形状及び等辺斜方形形状のいずれかを有し、前記画素の対角線が前記行方向及び列方向に沿って配置されていることを特徴とする請求項３に記載の表示パネル。
【請求項３】
前記第１及び第２の色表示セルはそれぞれ赤色セル及び青色セルであり、前記第３色表示セルは青緑色セルもしくは黄色セルであり、前記第４の色表示セルは緑色セルであることを特徴とする請求項１に記載の表示パネル。
【請求項４】
前記複数の画素は前記行方向及び前記列方向に整列して配置され、当該行方向画素列及び当該列方向画素列は前記行方向及び前記列方向に関して交互配列されていることを特徴とする請求項１に記載の表示パネル。
【請求項５】
前記行方向の画素列及び当該行方向画素列に隣接する行方向画素列間の間隔は前記画素の列方向の長さよりも小さく、前記列方向の画素列及び当該列方向画素列に隣接する列方向画素列間の間隔は前記画素の行方向の長さよりも小さいことを特徴とする請求項４に記載の表示パネル。
【請求項６】
前記表示パネルの表示ラインに対応する複数の行電極と、前記複数の行電極と交差する方向に配され、前記表示パネルのデータラインに対応する複数の列電極と、を有することを特徴とする請求項１に記載の表示パネル。
【請求項７】
請求項６記載の表示パネルと、
３色の映像信号を前記第１ないし第４の色表示セルに対応する４色の映像信号に変換する変換部と、
前記４色の映像信号に基づいて走査制御信号を生成するコントローラと、
前記走査制御信号に基づいて前記複数の行電極を走査する走査ドライバと、
前記走査ドライバによる走査に応じて前記複数の列電極にデータ信号を供給する駆動ドライバと、有することを特徴とする表示装置。
【請求項８】
放電ガスを含む放電セルに電圧を印加して表示をなすプラズマ表示パネルであって、
画素中心に対してパネルの行方向の互いに対向する位置に配された第１及び第２の色表示セルと、前記画素中心に対してパネルの列方向の互いに対向する位置に配された第３及び第４の色表示セルと、を各々が有し、前記行方向及び列方向に配列された複数の画素と、
表示ラインに対応する複数の行電極及び前記複数の行電極と交差する方向に配された複数の列電極と、を有し、
前記行電極の各々は、前記行方向に延在する本体部と、前記画素の色表示セル毎に隣接する行電極に向かって交互に突出する突出部とを備え、
前記放電セルの各々は、隣接する行電極の突出部の１対及び前記色表示セルの１から形成されていることを特徴とするプラズマ表示パネル。
【請求項９】
前記複数の画素の各々は正方形形状及び等辺斜方形形状のいずれかを有し、前記画素の対角線が前記行方向及び列方向に沿って配置されていることを特徴とする請求項８に記載のプラズマ表示パネル。
【請求項１０】
前記第１及び第２の色表示セルはそれぞれ赤色セル及び青色セルであり、前記第３色表示セルは青緑色セルもしくは黄色セルであり、前記第４の色表示セルは緑色セルであることを特徴とする請求項８に記載のプラズマ表示パネル。
【請求項１１】
前記複数の画素は前記行方向及び前記列方向に整列して配置され、当該行方向画素列及び当該列方向画素列は前記行方向及び前記列方向に関して交互配列されていることを特徴とする請求項８に記載のプラズマ表示パネル。
【請求項１２】
前記行方向の画素列及び当該行方向画素列に隣接する行方向画素列間の間隔は前記画素の列方向の長さよりも小さく、前記列方向の画素列及び当該列方向画素列に隣接する列方向画素列間の間隔は前記画素の行方向の長さよりも小さいことを特徴とする請求項１１に記載のプラズマ表示パネル。
【請求項１３】
前記画素の第１、第２、第３及び第４の色表示セルは隔壁によって区画されていることを特徴とする請求項８に記載のプラズマ表示パネル。
【請求項１４】
請求項８記載のプラズマ表示パネルと、
３色の映像信号を前記第１ないし第４の色表示セルに対応する４色の映像信号に変換する変換部と、
前記４色の映像信号に基づいて走査制御信号を生成するコントローラと、
前記走査制御信号に基づいて前記複数の行電極を走査する走査ドライバと、
前記走査ドライバによる走査に応じて前記複数の列電極にデータ信号を供給する駆動ドライバと、有することを特徴とする表示装置。
【発明の詳細な説明】
【技術分野】
【０００１】
本発明は、カラー表示パネル及び表示装置、特に、ハイビジョン信号等の高精細映像信号を表示するためのカラー表示パネルに関する。
【背景技術】
【０００２】
従来、プラズマディスプレイパネル（ＰＤＰ）、液晶パネル等のカラー表示パネルにおいては、表示パネルの水平方向（行方向）に隣接配置された赤（Ｒ），緑（Ｇ），青（Ｂ）の三原色のカラー表示セルにより１画素を構成し、カラー表示を行うことが一般的に行われている。
【０００３】
このようなカラー表示パネル、例えば、プラズマディスプレイパネルにおいて、比較的簡単に高輝度化を行う方法として、赤（Ｒ），緑（Ｇ），青（Ｂ）の表示セルに白（Ｗ)のセル又は青緑色（シアン：Ｃ）の表示セルを加えて１画素を構成する方法が提案されている（例えば、特許文献１参照）。
【０００４】
特許文献１には、プラズマディスプレイパネルにおいて、Ｒ，Ｇ，Ｂの３色の放電セルにＣ（シアン）の放電セルを加え、画素をパネルの水平方向及び垂直方向にそれぞれ２分割した４つの領域（４象限）にこれらの放電セルを配置して、１画素が当該４色の放電セルからなるように構成した方法が開示されている。
【０００５】
しかしながら、単に、４色以上の表示セルを用いて多色化を行う場合には、画素の分割数の増大に伴って、１セルのサイズが縮小し、発光効率が減少してしまうという問題があった。
【０００６】
また、ＰＤＰ等のディスプレイパネルの輝度や解像度の向上、高精細化、広色域化等の表示特性の向上、消費電力の低減など、より一層の特性向上が望まれている。
【特許文献１】特開２００４−１５２７３７号公報（第１２−１３頁、図８）
【発明の開示】
【発明が解決しようとする課題】
【０００７】
本発明は上記した点に鑑みてなされたものであって、その目的とするところは、発光効率が高く、高精細、広色域で色再現性に優れたディスプレイパネルを提供することが一例として挙げられる。
【課題を解決するための手段】
【０００８】
本発明による表示パネルは、各々が複数の色表示セルを含む複数の画素を行方向及び列方向に配置した表示パネルであって、上記複数の画素の各々は、画素中心に対して行方向に沿って互いに対向する位置に配された第１及び第２の色表示セルと、画素中心に対して列方向に沿って互いに対向する位置に配された第３及び第４の色表示セルと、を有することを特徴としている。
【０００９】
本発明による表示パネルは、さらに表示パネルの表示ラインに対応する複数の行電極と、上記複数の行電極と交差する方向に配され、表示パネルのデータラインに対応する複数の列電極と、を有することを特徴としている。
【００１０】
本発明による表示装置は、上記表示パネルを備えた表示装置であって、３色の映像信号を上記第１ないし第４の色表示セルに対応する４色の映像信号に変換する変換部と、上記４色の映像信号に基づいて走査制御信号を生成するコントローラと、上記走査制御信号に基づいて上記複数の行電極を走査する走査ドライバと、走査ドライバによる走査に応じて上記複数の列電極にデータ信号を供給する駆動ドライバと、有することを特徴としている。
【００１１】
本発明によるプラズマ表示パネルは、放電ガスを含む放電セルに電圧を印加して表示をなすプラズマ表示パネルであって、画素中心に対してパネルの行方向の互いに対向する位置に配された第１及び第２の色表示セルと、画素中心に対してパネルの列方向の互いに対向する位置に配された第３及び第４の色表示セルと、を各々が有し、行方向及び列方向に配列された複数の画素と、表示ラインに対応する複数の行電極及び上記複数の行電極と交差する方向に配された複数の列電極と、を有し、行電極の各々は、行方向に延在する本体部と、画素の色表示セル毎に隣接する行電極に向かって交互に突出する突出部とを備え、放電セルの各々は、隣接する行電極の突出部の１対及び色表示セルの１から形成されていることを特徴としている。
【００１２】
本発明による表示装置は、上記プラズマ表示パネルと、３色の映像信号を上記第１ないし第４の色表示セルに対応する４色の映像信号に変換する変換部と、上記４色の映像信号に基づいて走査制御信号を生成するコントローラと、走査制御信号に基づいて上記複数の行電極を走査する走査ドライバと、走査ドライバによる走査に応じて上記複数の列電極にデータ信号を供給する駆動ドライバと、有することを特徴としている。
【発明を実施するための最良の形態】
【００１３】
以下、本発明の実施例について図面を参照しつつ詳細に説明する。なお、以下に示す実施例において、等価な構成要素には同一の参照符を付している。
【実施例】
【００１４】
以下に、本発明によるプラズマディスプレイパネル（以下、ＰＤＰという。）１０について、図面を参照しつつ詳細に説明する。
【００１５】
［ＰＤＰの構成］
図１乃至図４は、本発明によるＰＤＰ１０の実施形態の一実施例を示している。より詳細には、図１はこの実施例におけるＰＤＰ１０の一部を模式的に示す上面図である。また、図２はＰＤＰ１０の１画素ＰＸの構成を模式的に示す上面図であり、図３は画素ＰＸのパネル面内における配列を模式的に示す上面図である。また、図４は図１に示すＶ−Ｖ線における断面図である。
【００１６】
図１に示すように、ＰＤＰ１０において、当該ディスプレイパネルの横方向である水平方向（以下、ｘ方向とする。）及び縦方向である垂直（鉛直）方向（以下、ｚ方向とする。）に複数の画素ＰＸが配置されている。図１及び図２に示すように、画素ＰＸの各々は、第１〜第４の放電セルＣ１〜Ｃ４から構成されている。
【００１７】
より詳細には、図２に示すように、画素ＰＸは、正方形の中心を通り各辺に平行な線に沿って４等分した第１〜第４象限に放電セルが配置された正方形状の画素を４５度回転させた形状を有している。そして、画素ＰＸの中心（画素中心）に対して画素ＰＸの水平方向の互いに対向する位置（対角位置）に第１及び第２の放電セルＣ１、Ｃ２が配置されている。当該第１及び第２の放電セルＣ１、Ｃ２は、それぞれ赤（Ｒ），青（Ｂ）の放電セル（それぞれ、Ｃ(R)，Ｃ(B)）である。また、画素中心に対して画素ＰＸの垂直方向の互いに対向する位置（対角位置）には第３及び第４の放電セルＣ３、Ｃ４が配置されている。当該第３及び第４の放電セルＣ３、Ｃ４、それぞれシアン（Ｃ）及び緑（Ｇ）の放電セル（それぞれ、Ｃ(C)，Ｃ(G)）である。すなわち、画素ＰＸの垂直方向に配された第３及び第４の放電セルＣ３、Ｃ４として、上記４色のうち、より視感度の高い緑色系のセルが配置されている。
【００１８】
なお、垂直方向の放電セルの色を入れ替えて、第３及び第４の放電セルＣ３、Ｃ４をそれぞれ緑（Ｇ）及びシアン（Ｃ）の放電セルとしてもよい。また、水平方向の放電セルの色を入れ替えて、第１及び第２の放電セルＣ１、Ｃ２をそれぞれ青（Ｂ），赤（Ｒ）の放電セルとしてもよい。また、シアン（Ｃ）に代えて黄色（Ｙ）の放電セルとしてもよい。
【００１９】
上記したように配置された第１〜第４の放電セルＣ１〜Ｃ４（それぞれ、Ｃ(R)，Ｃ(B)，Ｃ(C)，Ｃ(G)）を有する画素ＰＸは、図３に模式的に示すように、ＰＤＰ１０の面内において水平方向（ｘ方向又は行方向）及び垂直方向（ｚ方向又は列方向）に１／２画素ずらして交互に配列されている。
【００２０】
より詳細には、複数の画素ＰＸは行方向及び列方向に整列して配置されている。すなわち、行方向において画素列（図３において、第ｊ行及び第ｊ＋１行の画素ＰＸにハッチングを施して示している。）を構成するように配置されている。列方向においても同様に画素列（図３において、例えば第ｋ列及び第ｋ＋１列として示している。）を構成するように配置されている。換言すれば、行方向でみれば、隣接する行方向画素列（例えば、第ｊ行及び第ｊ＋１行）が行方向において１／２画素分だけずらされて交互配列されている。また、列方向でみれば、隣接する列方向画素列が列方向において１／２画素分だけずらされて交互配列されている。
【００２１】
図１及び図４に示すように、ＰＤＰ１０において、表示面である前面基板１の背面（すなわち、後述する背面基板６の側）に、複数の行電極Ｘ，Ｙが、前面基板１の行方向（ｘ方向）に延びるように平行に配列されている。前面基板１及び背面基板６は、例えば、ガラス等の透明材料により形成されている。以下においては、前面基板１及び背面基板６がガラスにより形成されているとして説明する
再び図１を参照すると、行電極Ｘは、前面ガラス基板１の行方向（ｘ方向）に延びた金属膜からなるバス電極Ｘｂ（＝Ｘｂ(j), j=1,2,...）と、一方の端部がバス電極Ｘｂに電気的に接続され、列方向（ｚ方向）に延在したＩＴＯ等の透明導電膜からなる透明電極Ｘａと、によって構成されている。
【００２２】
行電極Ｙも同様に構成されている。すなわち、行方向（ｘ方向）に延びた金属膜からなるバス電極Ｙｂ（＝Ｙｂ(j), j=1,2,...）と、一方の端部がバス電極Ｙｂに電気的に接続され、列方向（ｚ方向）に延在したＩＴＯ等の透明導電膜からなる透明電極Ｙａと、によって構成されている。
【００２３】
行電極Ｘ，Ｙは列方向において交互に配列されている。また、透明電極Ｘａ、Ｙａは、バス電極Ｘｂ及びバス電極Ｙｂの間において、互いに対となる相手の行電極側に延びて、透明電極ＸａとＹａのそれぞれの他方の端部が所定間隔の放電ギャップｇを介して互いに対向するように配置されている。さらに、透明電極Ｘａ、Ｙａは、各放電セルの上方に位置するように配置されている。換言すれば、バス電極Ｘｂ及びバス電極Ｙｂはそれぞれ行電極Ｘ，Ｙの本体部分であって、透明電極Ｘａ，Ｙａは、表示セル毎にバス電極Ｘｂ，Ｙｂから列方向に突出する突出部として構成されている。なお、後述するように、行電極Ｘ，Ｙの一方を走査電極、他方を維持電極として用いることができる。
【００２４】
図４を参照してさらにＰＤＰ１０の構造を説明すると、前面ガラス基板１の背面（背面ガラス基板６の側）には、誘電体層３が形成されている。誘電体層３は、行電極Ｘ，Ｙを被覆するように形成されている。
【００２５】
一方、前面ガラス基板１と放電空間を介して平行に配置された背面ガラス基板６の表示側（前面ガラス基板１の側）の面上には、列電極Ｄが互いに所定の間隔、すなわち画素ＰＸの行方向（ｘ方向）における間隔を開けて平行に配列されている。そして、列電極Ｄは、各行電極Ｘ，Ｙの互いに対になっている透明電極Ｘａ，Ｙａに対向する位置において、行電極Ｘ，Ｙと直交する方向（列方向）に延びるように形成されている。
【００２６】
背面ガラス基板６の表示側の面上（すなわち、前面ガラス基板１側の面上）には、さらに、列電極Ｄを被覆する列電極保護層（誘電体層）７が形成され、この列電極保護層７上に、隔壁８が形成されている。
【００２７】
当該隔壁８によって、前面ガラス基板１と背面ガラス基板６の間の放電空間が図１及び図２に示す形状に区画されることによって放電セルＣ（Ｃ１〜Ｃ４）及び画素ＰＸが形成されている。
【００２８】
放電セルＣの放電空間に面する隔壁８の側面と列電極保護層７の表面には、これらの５つの面を全て覆うように蛍光体層９が形成されている。この蛍光体層９の発光色は、各放電セルＣ（すなわち、Ｃ(R)，Ｃ(B)，Ｃ(C)，Ｃ(G)））毎に赤（Ｒ），青（Ｂ），シアン（Ｃ），緑（Ｇ）の４つの原色に色分けされて、これらが図２に示したように配置されている。
【００２９】
図３に示すように、放電セルＣ(C)，Ｃ(G)（本実施例においては、Ｃ３、Ｃ４）にはそれぞれシアン蛍光体層９Ｃ、緑色蛍光体層９Ｇが形成されている。同様に、放電セルＣ(R)，Ｃ(B)（本実施例においては、Ｃ１、Ｃ２）には赤色蛍光体層９Ｒ、青色蛍光体層９Ｂが形成されている（図示しない）。
【００３０】
そして、放電セルＣの放電空間内には、放電ガスが封入されている。例えば、当該放電ガスはキセノン（Ｘｅ）ガスであって、例えば、キセノンを１０体積パーセント以上含んでいる。
【００３１】
なお、図４は、隔壁８の表示側の面（頂部の面）が誘電体層３に当接されている場合を示しているが、隔壁８の頂部の面は、その一部において誘電体層３に当接されておらず、隔壁８と誘電体層３との間に間隙（図示しない）が形成されていてもよい。そして、当該間隙を介して隣接する放電セルＣは互いに連通されていてもよい。すなわち、かかる間隙によって放電ガスの通気・排気路が確保されるように、隔壁８に高さの低い部分を設けるようにしてもよい。
【００３２】
図５は、上記したＰＤＰ１０を有するプラズマディスプレイ装置２０の構成を示すブロック図である。プラズマディスプレイ装置２０には、ＲＧＢ変換器２１及び選択回路２２が設けられている。プラズマディスプレイ装置２０に入力される映像信号が色差信号の場合には、ＲＧＢ変換器２１において、当該入力色差信号がＲＧＢ信号（ＩＮ１）に変換され、選択回路２２に供給される。入力される映像信号がＲＧＢ信号（ＩＮ２）である場合には、そのまま選択回路２２に供給される。そして、選択回路２２において、当該変換後のＲＧＢ信号（ＩＮ１）又は入力ＲＧＢ信号（ＩＮ２）が選択される。
【００３３】
選択されたＲＧＢ信号は４色変換器２３に供給され、３色信号（ＲＧＢ信号）から４色信号への変換処理が行われる。変換後の４色信号は、画素駆動データ生成回路２４に供給され、駆動データが生成される。なお、画素駆動データ生成回路２４には、拡大／縮小処理及び位相調整部２４Ａが設けられている。
【００３４】
拡大／縮小処理及び位相調整部２４Ａにおいては、ＰＤＰ１０の表示解像度に応じた拡大・縮小処理が行われる。また、上記したように、画素ＰＸが互い違いとなるように、画素ＰＸは水平方向及び垂直方向に１／２画素分だけずらして交互配列されているため、拡大／縮小処理及び位相調整部２４Ａにおいて、当該交互配列に応じた映像信号の位相調整が行われる。
【００３５】
画素駆動データ生成回路２４により生成された駆動データは、列電極ドライバ２６に供給される。列電極ドライバ２６は、ＰＤＰ１０の列電極Ｄ（＝Ｄ(k)（k=1,2,...）に接続されており、ＰＤＰ１０の駆動を制御するコントローラ２５の制御の下、ＰＤＰ１０の列電極Ｄに画素駆動データパルスを印加する。図１及び図６に示すように、データ電極（列電極）Ｄ（＝Ｄ(k)）は放電セルＣ１〜Ｃ４の対角線に沿ってパネル（画素）の垂直方向に配列されている。
【００３６】
ＰＤＰ１０の行電極Ｘ，Ｙ（バス電極Ｘｂ、Ｙｂ）の一方を走査電極、他方を維持電極として用いることができる。例えば、ＰＤＰ１０のバス電極Ｘｂ(j)（j=1,2,...）を走査電極とし、バス電極Ｙｂ(j)（j=1,2,...）を維持電極として、ＰＤＰ１０の表示駆動がなされる。
【００３７】
ＰＤＰ１０のバス電極Ｘｂ(j)は走査電極ドライバ２７に接続され、バス電極Ｙｂ(j)は維持電極ドライバ２８に接続されている。走査電極ドライバ２７及び維持電極ドライバ２８は、コントローラ２５によって制御される。
【００３８】
図７は、１の画素ＰＸと、当該画素の放電セルＣ１〜Ｃ４に関連する走査電極（Ｘｂ(j-1)，Ｘｂ(j)）及び維持電極（Ｙｂ(j-1)，Ｙｂ(j)）とを示し、走査及び駆動動作を説明するための模式的な図である。
【００３９】
この図に示すように、行電極Ｘの本体部であるバス電極Ｘｂ(j)は、第ｊ行の行方向画素列（図３）の画素ＰＸの放電セルＣ１，Ｃ４，Ｃ２上であって、かつ当該第ｊ行画素列に隣接する画素列（第ｊ＋１行画素列）の画素ＰＸの放電セルＣ３上であるように配されている。
【００４０】
また、かかる構成は行電極Ｙについても同様である。すなわち、行電極Ｙの本体部であるバス電極Ｙｂ(j)は、第ｊ行の行方向画素列の放電セルＣ４上であって、かつ当該第ｊ行画素列に隣接する画素列（第ｊ＋１行画素列）の画素ＰＸの放電セルＣ１，Ｃ３，Ｃ２上であるように配されている。
【００４１】
コントローラ２５の制御によってなされるＰＤＰ１０の表示駆動において、走査電極Ｘｂ(j)と維持電極Ｙｂ(j-1)との間（より詳細には、Ｘｂ(j)及びＹｂ(j-1)に接続された透明電極Ｘａ及びＹｂ間）で維持放電（放電セルＣ１，Ｃ２についての維持放電、図中において矢印で示す。）が行われる。また、維持電極Ｙｂ(j-1)と走査電極Ｘｂ(j-1)との間で維持放電（放電セルＣ３についての維持放電）が、及び、走査電極Ｘｂ(j)と維持電極Ｙｂ(j)との間で維持放電（放電セルＣ４についての維持放電）が行われる。
【００４２】
従来、走査電極Ｘｂ(j)と維持電極Ｙｂ(j)とは画素の１行（画素列）ごとに１対の電極（行電極対）として設けられていた。一方、本実施例によれば、上記したように、１の走査電極に対して当該走査電極に隣接する２の維持電極との間で放電を行わせることができる。すなわち、放電動作のために行電極を共有して使用できるため、行電極の数を削減（約７０％）することができる。
【００４３】
本実施例においては、画素ＰＸは水平方向及び垂直方向に１／２画素ずらして交互配列されているため、高い解像度を得ることができる。この点について、再び図６を参照してより具体的に以下に説明する。また、図８は、本実施例における画素ＰＸとの対比例であって、４色の放電セルを有する正方形形状の画素であって、各辺がパネルの水平方向及び垂直方向（ｘ方向及びｚ方向）に沿うように配列された場合の画素ＱＸを示している。より詳細には、画素ＱＸは、正方形画素をパネルの水平方向及び垂直方向にそれぞれ２分割した４つの領域（ｘ軸及びｚ軸からなる直交座標系における第１象限〜第４象限）にそれぞれセルＱ１〜Ｑ４が構成されている。換言すれば、本実施例の画素ＰＸの形状及び画素配列は、正方形形状の画素ＱＸを４５度の角度だけ回転させ、水平方向及び垂直方向（行方向及び列方向）に１／２画素ずつずらして交互配列したものである。
【００４４】
本実施例におけるデータ電極（列電極）Ｄ(k)の間隔は、上記した画素ＱＸからなるパネルに比べて狭くなっている。より具体的には、正方形形状の画素ＱＸからなるパネルにおけるデータ電極Ｅ(k)の間隔をｄｘとすると（図８参照）、本実施例の画素ＰＸが画素ＱＸと同一の大きさを有する場合（画素ＱＸを４５度回転させた場合）、画素ＰＸにおける隣接データ電極（列電極）Ｄ(k)の間隔は、ｄｘ／２1/2（＝０．７０７ｄｘ）である（図６参照）。すなわち、本実施例によれば、水平方向の解像度を約１４１％高めることができる。
【００４５】
また、垂直方向の解像度についても同様に、解像度を約１４１％高めることができる。従って、本実施例における画素構造及び画素配列の表示パネルとすることによって、同一の画素面積及び画素数のパネルであっても高解像度を実現することができる。例えば、画素ＱＸからなるＷＸＧＡ規格（すなわち、水平方向1,280画素×垂直方向768画素の解像度）の表示パネルと同一の画素面積及び画素数であっても、水平方向及び垂直方向において約１．４１倍の解像度の向上が図れるため、デジタル放送のハイビジョン信号フォーマットをそのまま表示可能な、いわゆるフルスペックハイビジョン規格（すなわち、水平方向1,920画素×垂直方向1,080画素の解像度）相当の表示パネルを実現することができる。
【００４６】
従って、同等の製造コストでより解像度の高い表示パネルを製造する（例えば、ＷＸＧＡ規格の表示パネルを製造する場合と同等の製造コストでフルスペックハイビジョン規格の表示パネルを製造する）ことができる。さらに、画素ＰＸは４色の放電セルＣ１〜Ｃ４（Ｃ(R)，Ｃ(B)，Ｃ(C)，Ｃ(G)）を有するように構成されているので、高解像度化とともに広色域化を同時に実現することができる。
【００４７】
なお、上記４色とは、ＲＧＢの３色と、色度図上でこれら３点を結んでできる三角形の外のいずれか１色とであってもよい。あるいは、それらと同等の色再現性を有する色度図上の任意の４点であっても上記したのと同様な効果が得られる。
【００４８】
さらに、本実施例においては、正方形形状の画素（図８のＱＸ）を４５度回転させ、水平方向及び垂直方向に１／２画素ずつずらして交互配列した画素形状及び画素配列を有しているので、水平方向及び垂直方向における配線数を削減することができる。
【００４９】
従って、低コストで、広色域化とともに水平方向及び垂直方向における解像度を向上させた表示パネルを提供することが可能である。
【００５０】
なお、上記した実施例においては、正方形形状の画素を４５度回転させて、画素が互い違いとなるように画素を水平方向及び垂直方向に交互配列した場合について説明したが、これに限らず種々の変形が可能である。例えば、図９に示すように、画素ＰＸは等辺斜方形形状を有していてもよい。すなわち、当該画素ＰＸの対角線が水平方向及び垂直方向になるように配され、水平方向の対角位置に第１、第２のセル（Ｃ１，Ｃ２）が、垂直方向の対角位置に第３、第４のセル（Ｃ３，Ｃ４）が設けられているようにすることができる。
【００５１】
さらに、画素ＰＸ及び／又は第１〜第４のセル（Ｃ１〜Ｃ４）は正方形形状、斜方形形状に限らず、多角形形状、円形状等を有していてもよい。要するに、上記した第１〜第４の表示セル同様な関係を有して構成されていればよい。より具体的には、画素中心に対して画素の水平方向の互いに対向する位置に第１及び第２の表示セルが配され、画素中心に対して画素の垂直方向の互いに対向する位置に第３及び第４の表示セルが配されていればよい。そして、１画素の水平方向又は垂直方向における長さよりも小さな間隔で水平方向又は垂直方向において交互配列されていればより好ましい。
【００５２】
なお、好ましくは、図１０に示すように、画素ＰＸは正方形形状又は等辺斜方形形状を有し、水平方向及び垂直方向における画素の長さの１／２の間隔で水平方向及び垂直方向に交互配列されている。すなわち、図１０は、水平方向における第ｊ行の画素列とこれに隣接する第（ｊ＋１）行の画素列の間隔Ｄ１は画素ＰＸの垂直方向（列方向）の長さＬｚの１／２（すなわち、Ｄ１＝Ｌｚ／２）であり、垂直方向における第ｋ列の画素列とこれに隣接する第（ｋ＋１）列の画素列の間隔Ｄ２は画素ＰＸの水平方向（行方向）の長さＬｘの１／２（すなわち、Ｄ２＝Ｌｘ／２）である場合について示している。
【００５３】
なお、上記した実施例においては、プラズマディスプレイパネル（ＰＤＰ）の場合を例に説明したがこれに限らない。液晶パネル等のカラー表示パネルについても同様に適用することが可能である。
【００５４】
すなわち、上記したように、画素中心に対して行方向の互いに対向する位置に配された第１及び第２の表示セルと、画素中心に対して列方向の互いに対向する位置に配された第３及び第４の表示セルと、を各々が有する複数の画素を行方向及び列方向に配置した液晶パネル等の表示パネルであって、さらに表示パネルの表示ラインに対応する複数の行電極と、上記複数の行電極と交差する方向に配され、表示パネルのデータラインに対応する複数の列電極と、を有するように構成してもよい。
【００５５】
また、かかる表示パネルと、３色の映像信号を上記第１ないし第４の表示セルに対応する４色の映像信号に変換する変換部と、上記４色の映像信号に基づいて走査制御信号を生成するコントローラと、上記走査制御信号に基づいて上記複数の行電極を走査する走査ドライバと、走査ドライバによる走査に応じて上記複数の列電極にデータ信号を供給する駆動ドライバと、を備えた液晶パネル等のカラー表示パネルについても同様に適用することが可能である。
【００５６】
以上、詳細に説明したように、発光効率が高く、高精細、広色域で色再現性に優れたディスプレイパネルを提供することができる。
【００５７】
なお、上記した実施例は適宜組み合わせて適用することができる。また、上記した実施例において示した数値等は例示に過ぎない。
【図面の簡単な説明】
【００５８】
【図１】本発明の実施例におけるＰＤＰの一部を模式的に示す上面図である。
【図２】ＰＤＰの１画素ＰＸの構成を模式的に示す上面図である。
【図３】画素ＰＸのパネル面内における配列を模式的に示す上面図である。
【図４】図１に示すＶ−Ｖ線における断面図である。
【図５】図１〜４に示すＰＤＰを有するプラズマディスプレイ装置の構成を示すブロック図である。
【図６】画素ＰＸ及びデータ電極（列電極）Ｄの配置を示す上面図である。
【図７】１の画素ＰＸと、当該画素の放電セルＣ１〜Ｃ４に関連する走査電極（Ｘｂ(j-1)，Ｘｂ(j)）及び維持電極（Ｙｂ(j-1)，Ｙｂ(j)）とを示し、走査及び駆動動作を説明するための模式的な図である。
【図８】本実施例における画素ＰＸとの対比例であって、４色の放電セルを有する正方形形状の画素であって、各辺がパネルの水平方向及び垂直方向に沿うように配列された画素ＱＸを模式的に示す上面図である。
【図９】画素ＰＸの他の実施例を示し、等辺斜方形形状を有する画素ＰＸを示す上面図である。
【図１０】等辺斜方形形状を有する画素ＰＸのパネル面内における配列、及び画素列の間隔を模式的に示す上面図である。
【符号の説明】
【００５９】
１  前面基板
３  誘電体層
６  背面基板
７  列電極保護層(誘電体層）
８  隔壁
２１  ＲＧＢ変換器
２２  選択回路
２３  ４色変換器
２４  画素駆動データ生成回路
２５  コントローラ
２６  列電極ドライバ
２７  走査電極ドライバ
２８  維持電極ドライバ
Ｃ１−Ｃ４  放電セル
Ｄ  列電極
ＰＸ  画素
Ｘ，Ｙ  行電極
Ｘｂ，Ｙｂ  バス電極
【図１】
2008098032.tif 000003
【図２】
2008098032.tif 000004
【図３】
2008098032.tif 000005
【図４】
2008098032.tif 000006
【図５】
2008098032.tif 000007
【図６】
2008098032.tif 000008
【図７】
2008098032.tif 000009
【図８】
2008098032.tif 000010
【図９】
2008098032.tif 000011
【図１０】
2008098032.tif 000012